(57)【要約】【課題】温水洗浄時、洗い工程の後半における前記ドラムの回転数を前半の回転数よりも低く制御するようにした洗濯機を提供すること。【解決手段】洗濯物を収容し回転自在なドラム３と、前記洗濯槽を収容する水槽２と、前記ドラム３を回転駆動する駆動手段７と、前記水槽に洗濯水を給水する給水手段１０と、洗濯水を加熱する加熱手段１４と、洗い、すすぎ、脱水の各工程を逐次制御する制御手段２２を備え、前記制御手段２２は、温水洗浄時、洗い工程の後半における前記ドラム３の回転数を前半の回転数よりも低く制御し、温水使用時の再付着を防ぐ。【選択図】図１
2014239807.tif 000002
【特許請求の範囲】
【請求項１】
洗濯物を収容し回転自在なドラムと、
前記洗濯槽を収容する水槽と、
前記ドラムを回転駆動する駆動手段と、
前記水槽に洗濯水を給水する給水手段と、
洗濯水を加熱する加熱手段と、
洗い、すすぎ、脱水の各工程を逐次制御する制御手段を備え、
前記制御手段は、洗濯水を加熱して洗濯する温水洗浄時に、洗い工程の後半における前記ドラムの回転数を前半の回転数よりも低く制御するようにした洗濯機。
【請求項２】
制御手段は、洗い工程の後半において、洗濯物がドラム内の上方まで持ち上げられない回転数で駆動するようにした請求項１記載の洗濯機。
【請求項３】
洗濯液をドラム内に循環させる循環手段を備え、制御手段は、洗い工程の後半において、前記ドラムを駆動させる頻度を前半よりも少なくさせ、前記循環手段を駆動するようにした請求項１記載の洗濯機。
【発明の詳細な説明】
【技術分野】
【０００１】
本発明は、衣類等の洗濯を行う洗濯機に関する。
【背景技術】
【０００２】
従来のドラム式洗濯機は、洗濯液を加熱手段により昇温させることにより、汚れを落としやすくしているものがある（例えば、特許文献１参照）。
【０００３】
図３は、従来の洗濯機の断面図である。図３において、水を供給する給水口６２と、給水口６２から洗濯槽６３に至る給水経路を主水路６４とバイパス経路６５に分岐する切換弁６６とを備え、前期バイパス経路６５の途中に適温制御機能付き加熱器６７を設けている。そして適温制御機能付きの加熱器６７は、液体としての水を加熱する発熱体としてシーズヒータ７４と、シーズヒータ７４の外周を囲って流路７５を構成する円筒状のケース７６と、流路７５を螺旋状に構成するための乱流生成手段としてのばね７７で構成されている。そして給水された低温の洗濯液を適温制御機能付きの加熱器６７により高温に変換するものである。
【０００４】
これにより、洗濯機の温度が上がることで洗剤成分が活性化し、こびりついて落ちにくい汚れが落ちやすくなり、洗浄力が向上する。
【先行技術文献】
【特許文献】
【０００５】
【特許文献１】特開２００６−４３１００号公報
【発明の概要】
【発明が解決しようとする課題】
【０００６】
しかしながら、前記従来の構成では、洗濯液の温度が上がることで洗浄性能が向上し、それに伴い洗濯物から離脱し洗濯液中に出た汚れ量が洗濯液中に増加することで、長時間叩き洗いを繰り返すと、一度離脱して洗濯液中に出た汚れが再び衣類に付着してしまうという課題を有していた。
【０００７】
本発明は、前記従来の課題を解決するもので、洗濯液を加熱する場合、洗い工程の後半にドラムの回転を制御する洗濯機を提供することを目的とする。
【課題を解決するための手段】
【０００８】
前記従来の課題を解決するために、本発明の洗濯機は、洗濯物を収容し回転自在なドラムと、前記洗濯槽を収容する水槽と、前記ドラムを回転駆動する駆動手段と、前記水槽に洗濯液を給水する給水手段と、洗濯液を加熱する加熱手段と、洗い、すすぎ、脱水の各工程を逐次制御する制御手段を備え、前記制御手段は、洗濯水を加熱して洗濯する温水洗浄時に、洗い工程の後半における前記ドラムの回転数を前半の回転数よりも低く制御するようにしたものである。
【発明の効果】
【０００９】
洗い工程の後半にドラムの回転数を制御することで、洗浄性能を向上させ、汚れの再付着を防ぐことができる。
【図面の簡単な説明】
【００１０】
【図１】本発明の実施の形態１および２におけるドラム式洗濯機の断面図
【図２】本発明の実施の形態１および２における洗濯機の動作を示すフローチャート
【図３】従来の洗濯機の断面図
【発明を実施するための形態】
【００１１】
第１の発明は、洗濯物を収容し回転自在なドラムと、前記洗濯槽を収容する水槽と、前記ドラムを回転駆動する駆動手段と、前記水槽に洗濯液を給水する給水手段と、洗濯液を加熱する加熱手段と、洗い、すすぎ、脱水の各工程を逐次制御する制御手段を備え、前記前記制御手段は、洗濯水を加熱して洗濯する温水洗浄時、洗い工程の後半に前記ドラムの回転数を前半の回転数よりも低く制御するものである。これにより、洗浄性能を向上させ、洗濯物への汚れの再付着を防ぐことができる。
【００１２】
第２の発明は、特に第１の発明の洗濯機の制御手段は、洗い工程の後半において、洗濯物がドラム内の上方まで持ち上げられない回転数で駆動するようにするものである。これにより、洗い工程の後半において、叩き洗いが弱まることから、一度洗濯液中に出た汚れが洗濯物の繊維の細部に入り込むことを防ぐことができる。
【００１３】
第３の発明は、特に第１の発明の洗濯機は、洗濯液をドラム内に循環させる循環手段を備え、制御手段は、洗い工程の後半において、ドラムを駆動させる頻度を前半よりも少なくさせ、前記循環手段を駆動するように制御するものである。これにより、機械力を加えずに、洗濯液を循環させることにより、洗濯物の繊維の細部に汚れが入りこむことを防ぐことができる。
【００１４】
以下、本発明の実施の形態について、図面を参照しながら説明する。なお、本実施の形態によって、本発明が限定されるものではない。
【００１５】
（実施の形態１）
図１は、本発明の実施の形態１または２におけるドラム式洗濯機の断面図である。
【００１６】
ドラム式洗濯機の筐体１は、その内部には洗濯液を溜める水槽２を前上がりに傾斜させた状態に配設しており、吊り下げばね（図示せず）およびダンパー（図示せず）によって弾性支持している。水槽２内には洗濯物を収容する有底円筒状のドラム３が回転可能に設けられている。ドラム３内の周側壁面には、複数のバッフル４と、水槽２内と連通する多数の小孔５が設けられ、前面側には洗濯物を出し入れする開口部６が設けられている。
【００１７】
ドラム３を回転駆動する駆動手段７は、水槽２の外周下部に固定され、ベルト８およびプーリー９を介してドラム３を回転させる構成となっている。水槽２内に洗濯液を供給する給水手段としての給水弁１０は、給水路１１中に設けた洗剤を投入する洗剤ケース１２を介して水槽２内に洗濯液を供給する。
【００１８】
水槽２内の水溜部１３が設けられている。この水溜部１３内に水槽２内に溜められる洗濯液の水面と略平行に加熱手段１４が配設され、水溜部１３に溜められた洗濯液を洗濯に適した所定の温度（例えば、３０〜４０℃）に加熱することができる。水溜部１３の温度はサーミスタ等の温度検知手段１５によって検知する。
【００１９】
水槽２内の水溜部に溜められた洗濯液は、循環水路１６に設けた循環手段１７によってドラム３内へ循環させることができる。水溜部１３の底部に循環水路１６と連通した洗濯液を吸い込む吸い込み部１８を設け、ドラム３内の前面部に設けた開口部６の上部に、ドラム３内に向けて洗濯液が吐出されるように吐出部１９を設けている。
【００２０】
循環水路１６には循環手段１７の下流側に切換弁２０が設けてあり、吐出部１９に通じ
る循環水路１６と、洗濯液を機外へ排出する排水路２１のいずれかに選択的に切換えることができる。洗いおよびすすぎ時は、水溜部１３内の洗濯液の循環水路１６を通じて吐出部１９からドラム３内の洗濯物に向けて吐出することができ、洗いおよびすすぎ後の洗濯液を、排水路２１を通じて機外へ排出することができる。
【００２１】
筐体１内に設けられた制御手段２２は、駆動手段７、給水弁１０、加熱手段１４、循環手段１７、切換弁２０等を駆動し、洗い、すすぎ、脱水の各工程を逐次制御する。
【００２２】
以上のように構成されたドラム式洗濯機について、以下その動作、作用を説明する。
【００２３】
筐体１の前面側に開閉試合に設けた扉２３を開いて開口部６からドラム３内に洗濯物を投入し、操作部２４の電源スイッチ（図示せず）をオンし、スタートスイッチ（図示せず）を操作して運転が開始すると、重量検知手段２５により投入された洗濯物の量が検知され、給水弁１０が動作して給水が開始され、ドラム３が断続的に回転駆動し、洗い工程が開始される。
【００２４】
水位は投入される布量に応じてあらかじめ設定されており、洗濯液は、洗剤ケース１２内に投入された洗剤とともに水槽２に給水される。またドラム３内の洗濯物は、駆動手段７によって、例えば４５ｒｐｍなど、ドラム３を回転駆動させることで、バッフル４によって持ち上げられ、給水された水を含水する。
【００２５】
また制御手段２２は、切換弁２０を循環水路１６側に切換えるとともに、循環手段１７はあらかじめ設定された回転数で駆動し、所定量の洗濯液をドラム３内に循環させて、ドラム３内の洗濯物に洗濯液を十分に含水させることができる。また、給水は水位検知手段２６により、あらかじめ設定された水位に到達したことを検知すると停止させる。
【００２６】
なお、水位検知はドラム３の回転駆動停止中１回に限らず、２回、３回と検知することができる。
【００２７】
給水が終了すると、洗濯液はあらかじめ設定された温度まで加熱手段１４を通電させ洗濯水を加熱するように制御されて温水洗浄を行う。この際、あらかじめ布量に応じて設定された洗い時間の前半は、循環手段１７を駆動させ洗濯液を循環させて、ドラム３を回転駆動させ機械力を加えながら、洗い工程を行うように制御される。これにより、たたき洗いを繰り返しながら、こびり付いた落ちにくい汚れをむらなく落とすことができる。
【００２８】
洗い時間の後半になると、ドラム３はバッフル４によって、ドラム３内の回転中心軸を越えず、前半より低い高さで持ち上げられる回転数、例えば３０ｒｐｍで駆動するように、機械力を弱めて洗い工程を行うように制御される。この程度の回転数であれば、洗濯物がドラム内の上方まで持ち上げられないこととなる。
【００２９】
これにより、たたき洗いが弱まり、洗濯物に加わる機械力が小さくなることから、洗い工程の前半に洗濯液中に出た汚れが、洗い工程の後半に洗濯物の繊維の細部に入り込み再付着することを防ぐことができる。
【００３０】
（実施の形態２）
次に本発明の第２の実施の形態について説明する。
【００３１】
筐体１の前面側に開閉試合に設けた扉２３を開いて開口部６からドラム３内に洗濯物を投入し、操作部２４の電源スイッチ（図示せず）をオンし、スタートスイッチ（図示せず）を操作して運転が開始すると、重量検知手段２５により投入された洗濯物の量が検知さ
れ、給水弁１０が動作して給水が開始され、ドラム３が断続的に回転駆動し、洗い工程が開始される。
【００３２】
水位は投入される布量に応じてあらかじめ設定されており、洗剤ケース１２内に投入された洗剤とともに水槽２に洗濯液が給水される。またドラム３内の洗濯物は、駆動手段７によってドラム３を回転駆動させることで、バッフル４によって持ち上げられ、給水された水を含水する。
【００３３】
また制御手段２２は、切換弁２０を循環水路１６側に切換えるとともに、循環手段１７はあらかじめ設定された回転数で駆動し、所定量の洗濯液をドラム３内に循環させて、ドラム３内の洗濯物に洗濯液を十分に含水させることができる。また、水位検知手段２６により、あらかじめ設定された水位に到達したことを検知すると給水が停止させる。
【００３４】
なお、水位検知はドラム３の回転駆動停止中１回に限らず、２回、３回と検知することができる。
【００３５】
給水が終了すると、洗濯液はあらかじめ設定された温度まで加熱手段１４を通電させ加熱するように制御される。この際、あらかじめ布量に応じて設定された洗い工程時間の前半は、循環手段１７を駆動させ洗濯液を循環させて、ドラム３を回転駆動させ機械力を加えながら、洗い工程を行うように制御される。これにより、たたき洗いを繰り返しながら、こびり付いた落ちにくい汚れをむらなく落とすことができる。
【００３６】
洗い時間の後半になると、ドラム３は回転駆動を駆動させる頻度を前半よりも少なくさせるとともに、循環手段１７を駆動させ、洗濯液のみを循環させる。
【００３７】
これにより、洗濯物に加わる機械力が弱まり、洗い工程の前半に洗濯液中に出た汚れが、洗い工程の後半に洗濯物の繊維の細部に入り込み再付着することを防ぐことができる。
【００３８】
更に洗濯液を循環させることで、下部の洗濯液に浸かっていない洗濯物も十分に洗濯液に浸ることができ、洗濯物の汚れをむらなく落とすことができる。
【産業上の利用可能性】
【００３９】
以上のように、本発明にかかるドラム式洗濯機は、温水洗浄時、洗い工程の後半に前記ドラムの回転数を前半の回転数よりも低く制御することにより、洗浄性能を向上させ、かつ汚れの再付着を防ぐことができるため、ドラム式洗濯機として有用である。
【符号の説明】
【００４０】
１  筐体
２  水槽
３  ドラム
７  駆動モータ（駆動手段）
１０  給水手段
１４  加熱手段
２２  制御手段
【図１】
2014239807.tif 000003
【図２】
2014239807.tif 000004
【図３】
2014239807.tif 000005